(57)【要約】【課題】  センサユニットの内部から外部に信号を伝達するために設けられた電線の内部での接続スペースが広がるとともに、センサユニットの角度を調整するときに確認する表示部の視認性が向上できるものを供給することにある。【解決手段】  人を検出するセンサ素子３と、これが実装されたプリント基板４と、これらを内蔵する円筒状本体１と、プリント基板４に接続され円筒状本体１から引き出された電線５と、円筒状本体１の側周面に設けられた受光面１ａと、円筒状本体１を支持するとともに回転させる支持体２と、を備えた人感センサユニットであって、プリント基板４の電線５が接続された面と対向する円筒状本体１の壁部に円筒状本体１の内部空間と連通した空間Ｘ２を有した延設片１ｃを円筒状本体１より突き出すように設け、この延設片１ｃより電線５を引き出すとともに、延設片１ｃの近傍に受光面１ａが所定の角度にあることが認識できる表示部２ｂを設けた。【選択図】図１
2005098822.tif 000002
【特許請求の範囲】
【請求項１】
検知対象の存在の有無を検出するセンサ素子と、このセンサ素子が実装された板状のプリント基板と、このプリント基板と前記センサ素子とを内蔵する略円筒状の円筒状本体と、前記センサ素子が検出した信号を外部に伝達するために前記プリント基板に接続され前記円筒状本体から引き出された電線と、前記円筒状本体の側周面に設けられ外からの光を導入させて前記センサ素子に略集光させる受光面と、前記円筒状本体を支持するとともに前記円筒状本体を筒の軸を略中心に回転させて受光面を移動させる支持体と、を備えた人感センサユニットであって、前記プリント基板の電線が接続された面と対向する円筒状本体の壁部に円筒状本体の内部空間と連通した空間を有した延設片を円筒状本体より突き出すように設け、この延設片より前記電線を引き出すとともに、延設片の近傍に受光面が所定の角度にあることが認識できる表示部を設けたことを特徴とする人感センサユニット。
【請求項２】
前記プリント基板のセンサ素子が実装された面をセンサ素子実装面とし、前記プリント基板は、このセンサ素子実装面が前記受光面の内面と対向するように円筒状本体に収容され、前記電線は、前記センサ素子実装面と反対側の非センサ素子実装面にてプリント基板に接続され、前記プリント基板の非センサ素子実装面と対向する円筒状本体の壁部に前記延設片を形成したことを特徴とする請求項１記載の人感センサユニット。
【請求項３】
前記延設片は、前記円筒状本体に設けられた前記受光面の略中心に対して、円筒状本体の周上を略１８０°回転した位置から前記受光面より遠ざかる方向に延設されたものであることを特徴とする請求項１又は２記載の人感センサユニット。
【請求項４】
前記延設片は、前記円筒状本体の径方向に延設されたものであることを特徴とする請求項３記載の人感センサユニット。
【請求項５】
前記延設片の一部を係止することにより前記受光面が所定の位置に位置決めできるものとしたことを特徴とする請求項１乃至４記載の人感センサユニット。
【請求項６】
前記延設片の先端付近に係合部を設け、前記支持体に前記係合部を係止する係止部を設け、前記係合部を前記係止部で係止することにより前記受光面が所定の角度に位置決めできるとともに前記表示部は前記係止部の近傍に設けられたことを特徴とする請求項５記載の人感センサユニット。
【請求項７】
前記延設片より前記電線を引き出すための位置を電線引き出し位置とし、この電線引き出し位置を前記延設片の先端よりも手前に設けたことを特徴とする請求項１乃至６記載の人感センサユニット。
【請求項８】
請求項１乃至７記載の人感センサユニットを備えたことを特徴とする照明器具。
【請求項９】
請求項１乃至７記載の人感センサユニットを複数備えた階段の踊り場に設置される照明器具であって、その一の人感センサユニットが踊り場よりも上方にある階段の検知対象の存在の有無を検出し、他の一の人感センサユニットが踊り場よりも下方にある階段の検知対象の存在の有無を検出するものであることを特徴とする照明器具。
【発明の詳細な説明】
【技術分野】
【０００１】
本発明は、受光面を備えた本体を回転させて所定の位置で固定することにより検知エリアを移動できる人感センサユニットに関する。
【背景技術】
【０００２】
この種の人感センサユニットとしては、特開平９−３０４５４８号公報に開示されものがある。図９、図１０は、これに開示された人感センサユニットの図で、図９（ａ）は人感センサユニットの円筒状本体の側面図、図９（ｂ）は円筒状本体の正面図、図１０は人感センサユニットの外観斜視図である。このものは検知対象の存在の有無を検出するセンサ素子（図示せず）と、これを内蔵する略円筒状の円筒状本体１と、この円筒状本体１の側周面に設けられ外からの光を導入させて前記センサ素子に略集光させる受光面１ａと、円筒状本体１の両側で支持し円筒状本体１を筒の軸を中心に回転させて受光面１ａを移動させる支持体２と、を備えて構成されている。
【０００３】
円筒状本体１は、筒端部の略中心に設けられた回動軸１ｘと、一定の角度毎に設けられた９個の角度調整手段としての凹部１４と、各凹部１４の角度を示す１〜９までの数字が刻まれた表示１５とを備えている。支持体２は、平板を断面Ｌ字に折り曲げ形成したもので、円筒状本体１の両側にその垂直片を突き合わせるように設けられている。
この人感センサユニットは、図１０に示すように、回動軸１ｘを支持体２の孔２０に挿通させて、支持体２によって回動自在に支持されている。このとき円筒状本体１の筒端部に設けられた凹部１４に支持体２の凸部２６を係止離脱自在に係止させることによって、人感センサユニットの取り付け角度すなわち受光面１ａの角度を所望の角度に保持している。また、支持体２に穿設された窓孔２７から円筒状本体１の筒端部に設けられた表示１５の数字を読み取ることができるので、円筒状本体１の取り付け角度を調整する際の目安となり、調整作業を容易に行うことができるものとなっている。
【０００４】
このように構成された人感センサユニットは、例えば、図１１に示すような階段用の照明器具１００に使用される。すなわち照明器具１００の両端部に各１ケずつ人感センサユニット１００ａを取り付け、各々の受光面１ａを適宜、上下に回動して調整することにより、一方の人感センサユニット１００ａで上階に通じる階段における検知対象の存在の有無が検知でき、他方の人感センサユニット１００ａで下階に通じる階段における検知対象の存在の有無を検知できるものとなっている。
【０００５】
ところで人感センサユニット１００ａにて検知した情報をもとに階段用の照明器具１００を制御するためには、センサ素子が検出した信号（情報）を人感センサユニット１００ａの外部に伝達する必要がある。図１２に示されたものは、これを実現するために出願人が考案したものである。このものは、図９、図１０を用いて説明したものと同一の円筒状本体１、受光面１ａ、支持体２、を備えたものであり、図１２は、円筒状本体１をその軸に垂直な面で切断したときの断面図を示す。この人感センサユニットは、検知対象の存在の有無を検出するセンサ素子３と、このセンサ素子３が実装されたプリント基板４と、このプリント基板４とセンサ素子３とを内蔵する略円筒状の円筒状本体１と、センサ素子３が検出した信号を外部に伝達するためにプリント基板４に接続され円筒状本体１から引き出された電線５と、円筒状本体１の側周面に設けられ外からの光を導入させてセンサ素子に略集光させる受光面１ａと、円筒状本体１を支持するとともに円筒状本体１を筒の軸を略中心に回転させて受光面１ａを移動させる支持体（図示せず）と、を備えて構成されている。
【０００６】
ここでセンサ素子３は、検知対象が発する光、例えば、赤外線を検知して検知対象の存在の有無を検出するもので、その中央部分には受光部３ａを備えている。
プリント基板４は、略方形をなし、受光面１ａの内面と対向するように円筒状本体１に収容されている。そしてプリント基板４の中央には、センサ素子３が受光部３ａを受光面１ａの内面に向けて実装されている。ここでセンサ素子３の受光部３ａと、受光面１ａと、の関係は、円筒状本体１の側周面に所定の角度で設けられた受光面１ａから導入された光がセンサ素子３の受光部３ａに略集光して受光できる関係となっており、図１２に示されたものでは、約１２０°の角度から導入された光が受光部３ａに集光できるようになっている。
電線５は、プリント基板４のセンサ素子３が実装された面と反対側の面からプリント基板４に略垂直に実装されており、円筒状本体１の内面と、プリント基板４と、の距離が最も離れた箇所、すなわちプリント基板４から見て円筒状本体１の内面が最も離れた箇所で円筒状本体１から引き出されている。
【０００７】
このようにプリント基板４から見て円筒状本体１の内面が最も離れた箇所から電線５を引き出すことにより、プリント基板４と円筒状本体１の内面との間の空間が大きくできるので、電線５の接続（実装）スペースや引き出しスペースが確保しやすいものとなっている。
そして、この人感センサユニットは、前述したようにして円筒状本体１から電線５を引き出すことにより、電線５を通じてセンサ素子３が検出した信号を人感センサユニットの外部に伝達できるものとなっている。
【特許文献１】特開平９−３０４５４８号公報
【発明の開示】
【発明が解決しようとする課題】
【０００８】
ところが、このように構成された人感センサユニットを小型化しようとした場合、電線５の接続スペースや引き出しスペースを確保することが難しいものとなっていた。図１３は、これを説明するための図で、円筒状本体１を小型化したときの断面図である。ここでセンサ素子３は、その小型化が難しいものであるので図１２にて説明したものと同じ大きさのものがプリント基板４に実装されている。その他の同一の機能を有する構成部材には、図１２で説明したものと同一符号を付すことにより説明を省略する。
このものは、円筒状本体１を小型化しているので、電線５の接続（実装）スペースや引き出しスペースを確保しにくいものとなっている。
さらに、図１４は、人感センサユニットの円筒状本体の側面を示した図で、図１４（ａ）は小型化する前のものを、図１４（ｂ）は小型化した後のものを、各々示している。ここでは、小型化を図った図１４（ｂ）のものは、円筒状本体１の側面が例えば、直径３ｃｍと小さくしたものである。このものは、一定の角度毎に設けられた８個の角度調整手段としての凹部１４と、各凹部１４の角度を示す１〜８までの数字が刻まれた表示１５とが小さなものとなってしまう。従って、表示１５は、小さくなることにより見にくいものとなるので円筒状本体１をどの程度回転させたのかが認識しにくいものとなっていた。
【０００９】
本発明は、上記背景技術に鑑みてなしたもので、その課題は、人感センサユニットの内部から外部に信号を伝達するために設けられた電線の人感センサユニット内での接続スペースが広がるとともに、人感センサユニットの受光部の角度を調整するときに確認する表示部の視認性が向上できる人感センサユニットおよびこれを備えた照明器具を供給することにある。
【課題を解決するための手段】
【００１０】
検知対象の存在の有無を検出するセンサ素子と、このセンサ素子が実装された板状のプリント基板と、このプリント基板と前記センサ素子とを内蔵する略円筒状の円筒状本体と、前記センサ素子が検出した信号を外部に伝達するために前記プリント基板に接続され前記円筒状本体から引き出された電線と、前記円筒状本体の側周面に設けられ外からの光を導入させて前記センサ素子に略集光させる受光面と、前記円筒状本体を支持するとともに前記円筒状本体を筒の軸を略中心に回転させて受光面を移動させる支持体と、を備えた人感センサユニットであって、前記プリント基板の電線が接続された面と対向する円筒状本体の壁部に円筒状本体の内部空間と連通した空間を有し円筒状本体より突設した延設片を設け、この延設片より前記電線を引き出すとともに、延設片の近傍に受光面が所定の角度にあることが認識できる表示部を設けたことを特徴とする人感センサユニット。
【発明の効果】
【００１１】
本発明の人感センサユニットにおいては、プリント基板の電線が接続された面と対向する円筒状本体の壁部に円筒状本体の内部空間と連通した空間を有した延設片を円筒状本体より突き出すように設け、この延設片より電線を引き出したので、人感センサユニットの内部から外部に信号を伝達するために設けられた電線の人感センサユニット内での接続スペースを広げることができる。そして、延設片の近傍に受光面が所定の角度にあることが認識できる表示部を設けたので、人感センサユニットの受光部の角度を調整するときに確認する表示部の視認性を向上することができる。
【発明を実施するための最良の形態】
【００１２】
本発明の請求項１〜６に対応した一実施形態である人感センサユニットを図１〜４を用いて説明する。図１は人感センサユニットの円筒状本体をその軸に垂直な面で切断したときの断面図、図２は人感センサユニットの分解斜視図、図３は人感センサユニットの上面図、図４は動作を説明する図で図４（ａ）は上方の検知対象を検出するときの説明図、図４（ｂ）は下方の検知対象を検出するときの説明図である。
【００１３】
この人感センサユニットは、検知対象の存在の有無を検出するセンサ素子３と、このセンサ素子３が実装された板状のプリント基板４と、このプリント基板４とセンサ素子３とを内蔵する略円筒状の円筒状本体１と、センサ素子３が検出した信号を外部に伝達するためにプリント基板４に接続され円筒状本体１から引き出された電線５と、円筒状本体１の側周面に設けられ外からの光を導入させてセンサ素子３に略集光させる受光面１ａと、円筒状本体１を支持するとともに円筒状本体１を筒の軸を略中心に回転させて受光面１ａを移動させる支持体２と、を備えて構成されている。
【００１４】
円筒状本体１は、合成樹脂などで略円筒状に形成され、その筒端部の略中心には円筒状本体１の回転の中心となる回動軸１ｘが設けられている。そして、円筒状本体１には、プリント基板４とセンサ素子３と電線５の一部が収納されている。円筒状本体１の側周面には、フレネルレンズなどで形成された受光面１ａが設けられている。
センサ素子３は、人体などから発する光、例えば、赤外線を検知して検知対象の存在の有無を検出する焦電センサであり、その中央部分には受光部３ａを備えている。そしてセンサ素子３は、受光部３ａが円筒状本体１の軸心付近であって受光面１ａを向くように配設されている。
支持体２は、断面略コ字状をなしたもので、略コ字状の対向する片で円筒状本体１の両側の筒端部を挟み込んでいる。そして、略コ字状の対向する片には、円筒状本体１の回動軸１ｘを挿通して円筒状本体１を支持、回転させる孔２ａが設けられている。
【００１５】
プリント基板４は、略方形をなし、その中央には、センサ素子３が実装されている。ここでプリント基板４のセンサ素子３が実装された面をセンサ素子実装面４ａとしセンサ素子実装面４ａの反対側（裏側）の面を非センサ素子実装面４ｂとしたときに、プリント基板４は、センサ素子実装面４ａが受光面１ａの内面と対向するように円筒状本体１に収容されている。これによりセンサ素子３の受光部３ａは、受光面１ａの内面に向けて実装されるものとなる。
ここでセンサ素子３の受光部３ａと、受光面１ａと、の関係は、円筒状本体１の側周面に所定の角度で設けられた受光面１ａから導入された光がセンサ素子３の受光部３ａに略集光して受光できる関係となっており、図１に示されたものでは、約１２０°の角度から導入された光が受光部３ａに集光できるようになっている。
電線５は、プリント基板４のセンサ素子３が実装された面と反対側の面、すなわち非センサ素子実装面４ｂからプリント基板４に略垂直に接続されている。
【００１６】
ここで重要なことは、プリント基板４の電線５が接続された面すなわち非センサ素子実装面４ｂと対向する円筒状本体１の壁部に円筒状本体１の内部空間Ｘ１と連通した空間Ｘ２を有した延設片１ｃを円筒状本体１より突き出すように設け、この延設片１ｃより電線５を引き出すとともに、延設片１ｃの近傍に受光面が所定の角度にあることが認識できる表示部２ｂを設けたことである。
【００１７】
これを詳しく述べると、延設片１ｃは、中空板状のものであり、その基端が円筒状本体１と一体に形成されている。そして延設片１ｃは、円筒状本体１に設けられた受光面１ａの略中心１ａｘに対して、円筒状本体１の周上を略１８０°回転した位置から受光面１ａより遠ざかる方向、すなわち径方向外側に延設されたものとなっている。また、延設片１ｃの空間Ｘ２には電線５が配線され、この電線５は、延設片１ｃの先端より外部に引き出されている。
さらに、延設片１ｃの先端付近には、その両側に円筒状本体１の回動軸１ｘと同じ向きに突出した凸状の係合部１ｃｄが設けられており、支持体２の略コ字状に対向する片には、この係合部１ｃｄを係止する凹状の係止部２ｄが複数設けられている。そして係合部１ｃｄを係止部２ｄで係止することにより受光面１ａが所定の角度に位置決めできるものとなっている。
なお、表示部２ｄは延設片１ｃの先端付近に設けられた係合部１ｃｄを係止する凹状の係止部２ｄの近傍に係止部２ｄと一対一で対応して設けられている。
【００１８】
次に、この人感センサユニットの組立てを説明する。ここでは円筒状本体１とこれに一体となった延設片１ｃとは、円筒状本体１の回動軸１ｘに垂直な面で一方の円筒状本体１側部品と他方の円筒状本体１側部品に分割することができるものとする。また、円筒状本体１には受光面１ａを所定の位置に位置決めできる受光面用スリットとプリント基板４を所定の位置に位置決めできるプリント基板用スリットが設けられているものとする。さらにプリント基板４には、センサ素子３の実装や電線５の接続が完了しているものとする。
この人感センサユニットの組立ては、一方の円筒状本体１側部品の受光面用スリットに受光面１ａを、さらにプリント基板用スリットにプリント基板４を挿入する。これによりプリント基板４は、センサ素子実装面４ａが受光面１ａの内面と対向するように円筒状本体１にセットされる。さらに円筒状本体１の内部空間Ｘ１にある電線５をこの空間と連通した延設片１ｃの空間Ｘ２を通して延設片１ｃの先端より外部に引き出す。この状態で他方の円筒状本体１側部品を一方の円筒状本体１側部品に合わせて接着や嵌合などによって固定する。さらに、円筒状本体１の回動軸１ｘを支持体２の孔２ａに挿通するとともに延設片１ｃの先端にある係合部１ｃｄを支持体２の係止部２ｄに挿入する。これにより人感センサユニットの組立てが完了する。
【００１９】
この人感センサユニットは、電線５を延設片１ｃの内部の空間Ｘ２を利用してプリント基板４と接続することができるので電線５の人感センサユニット内での接続スペース（電線５をプリント基板４と接続するさいの接続スペース）を広げることができるものとなる。さらに円筒状本体１の内面と、プリント基板４と、の距離が最も離れた箇所、すなわちプリント基板４から見て円筒状本体１の内面が最も膨らんだ箇所で延設片１ｃの内部の空間Ｘ２を連通させているので電線５をプリント基板４と接続するさいの接続スペースをさらに広げることができるものとなる。
また、この人感センサユニットは、延設片１ｃの先端にある係合部１ｃｄを支持体２の係止部２ｄに係止離脱自在に係止させることによって、人感センサユニットの取り付け角度すなわち受光面１ａの角度を所望の角度に保持できる。特に、表示部２ｂは円筒状本体１からさらに離れた延設片１ｃの先端付近に設けられているので、図１４（ｂ）を用いて説明した人感センサユニットのように小さな表示とはならず、個々の数字を大きく読み取りやすいものとすることができるので、円筒状本体１の取り付け角度を調整する際の調整作業を行いやすくできるものとなっている。
【００２０】
次に、この人感センサユニットを図１１で説明した照明器具に用いた例を説明する。このものにおいて１００ａは、照明器具１００の両端部に各１ケずつ取り付けられた人感センサユニットである。この照明器具１００は、階段の踊り場に設置される照明器具であって、各々の人感センサユニットの受光面１ａを適宜、上下に回動して調整することにより、その一の人感センサユニットが踊り場よりも上方にある階段の検知対象の存在の有無を検出し、他の一の人感センサユニットが踊り場よりも下方にある階段の検知対象の存在の有無を検出するものとなっている。図４は、この状況を説明するための図で、図４（ａ）は、一の人感センサユニットが踊り場よりも上方にある階段の検知対象の存在の有無を検出できるようにセットしたものであり、図４（ｂ）は、他の一の人感センサユニットが踊り場よりも下方にある階段の検知対象の存在の有無を検出できるようにセットしたものである。なお、図において１００ｋは、照明器具１００の前面パネルであり、１００ｋａは、前面パネル１００ｋに設けられた窓である。人感センサユニットは、この前面パネル１００に設けられた窓１００ｋａより人感センサユニットの円筒状本体１の略半分程度が突出するように照明器具１００に取り付けられている。
ここで階段の踊り場に設置される照明器具は、検知範囲の調整を暗がりで行うことが多いので、前記したように表示部２ｂを大きくした人感センサユニットを使用することにより、その調整がより行いやすいものとなる。
【００２１】
この実施の形態によると、プリント基板４の電線５が接続された面と対向する円筒状本体１の壁部に円筒状本体１の内部空間Ｘ１と連通した空間Ｘ２を有した延設片１ｃを円筒状本体１より突き出すように設け、この延設片１ｃより電線５を引き出すとともに、延設片１ｃの近傍に受光面１ａが所定の角度にあることが認識できる表示部２ｂを設けたことにより、人感センサユニットの内部から外部に信号を伝達するために設けられた電線は、円筒状本体１の内部空間Ｘ１と連通した空間Ｘ２を利用してプリント基板４と接続することができるので、人感センサユニット内での電線５の接続スペースを広げることができる。さらに、人感センサユニットの受光部１ａの角度を調整するときに確認する表示部２ｂは、円筒状本体１より突き出すように設けた延設片１ｃの近傍に設けられているので、表示を大きくすることができ、その視認性を向上することができるものとなる。
【００２２】
また、プリント基板４のセンサ素子３が実装された面をセンサ素子実装面４ａとし、プリント基板４は、このセンサ素子実装面４ａが受光面１ａの内面と対向するように円筒状本体１に収容され、電線５は、センサ素子実装面４ａと反対側の非センサ素子実装面４ｂにてプリント基板４に接続され、プリント基板４の非センサ素子実装面４ｂと対向する円筒状本体１の壁部に延設片１ｃを形成したことにより、電線５の処理を非センサ素子実装面４ｂのみでできるものとなる。これにより電線５を円筒状本体１の外部に引き出す際に、電線５が受光面１ａの方向に浮き上がってしまい、電線５がセンサ素子３の受光部３ａに入るはずの光を遮光してしまうことがなくなる。このことを詳しく説明する。図５は、これを説明するための図で、プリント基板４のセンサ素子実装面４ａと対向する円筒状本体１の壁部に延設片１ｃを形成した人感センサユニットの断面図である。このものでは、センサ素子３として、その高さが数ミリ程度の低いものを使用した場合、プリント基板４に接続された電線５を円筒状本体１の外部に引き出す際に、電線５が受光面１ａの方向に浮き上がってしまうことがあり、これにより電線５がセンサ素子３の受光部３ａに入るはずの光を遮光してしまうことがある。特に電線５のプリント基板４への接続を、接続コネクタなどを介して行なった場合、接続コネクタの実装高さが１ｃｍ近くになることがあるので、電線５はセンサ素子３の高さよりも十分に高い位置から円筒状本体１の引き出し口に導かれることになってしまい、電線５がセンサ素子３の受光性能に影響を及ぼすことが多くなってしまうものとなる。これを防ぐために図１で説明した人感センサユニットは、電線５をプリント基板４のセンサ素子３が実装された面と反対側の面でプリント基板４に接続し、さらに、プリント基板４のセンサ素子３が実装された面と反対側の面と対向する円筒状本体１の壁部より電線５を引き出している。
【００２３】
また、延設片１ｃを円筒状本体１に設けられた受光面１ａの略中心に対して、円筒状本体１の周上を略１８０°回転した位置から受光面１ａより遠ざかる方向に延設されたものとしたことにより、人感センサユニットを照明器具１００の前面パネル１００Ｋに設けられた窓１００ｋａより人感センサユニットの円筒状本体１の略半分程度が突出するように取付けた際に、円筒状本体１をその周上どちらの方向に対しても略同じ範囲で回転させることができるとともに
受光面１ａが前面パネル１００ｋの奥側に入り込まずその回転範囲を広くとることができるものとなる。
また、電線５の接続スペースを広げるための延設片１ｃを円筒状本体１の内面と、プリント基板４と、の距離が最も離れた箇所、すなわちプリント基板４から見て円筒状本体１の内面が最も膨らんだ箇所で延設片１ｃの内部の空間Ｘ２を連通させているので電線５をプリント基板４と接続するさいの接続スペースをさらに広げることができるものとなる。
また、延設片１ｃは、円筒状本体１の径方向に延設されたものであることにより、延設片１ｃの延長方向が受光面１ａの向きで
あることがわかるので、より受光部１ａの角度の調整が行ないやすいものとなる。
また、延設片１ｃの一部を係止することにより受光面１ａが所定の位置に位置決めできるものとしたこと、特に、延設片１ｃの先端付近に係合部１ｃｄを設け、支持体２に係合部１ｃｄを係止する係止部２ｂを設け、係合部１ｃｄを係止部２ｂで係止することにより受光面１ａが所定の角度に位置決めできるとともに表示部２ｂを係止部２ｄの近傍に設けたことにより、その表示がさらに大きくできるものとなる。
【００２４】
次に、この実施の形態の応用例を説明する。図６は、延設片１ｃを図１を用いて説明したものに比べて長くしたものである。このものは図１を用いて説明したものよりも表示部２ｂの１〜８の数字で示したものの回転角度は小さいものとなる。その他の実施の形態で説明したものと同一の構成部材には同一符号を付すことにより説明を省略する。このものにおいては、係合部１ｃｄを係止する凹状の係止部２ｄを回転角度は小さくともその形状を大きくできるので円筒状本体１を回転させたときのクリック感が生じやすいものとなり小型化された人感センサユニットであっても操作が行いやすいものとできる。
また、図７は他の応用例を示したものであり、図は人感センサユニットの斜視図である。このものは、延設片１ｃより電線５を引き出すための位置を電線引き出し位置１ｃａとし、この電線引き出し位置１ｃａを延設片１ｃの先端よりも手前に設けたものである。なお、このものにおいてその他の実施の形態で説明したものと同一の構成部材には同一符号を付すことにより説明を省略する。
この人感センサユニットは、図８に示したようにコ字状の前面パネルに収納された場合において、受光部１ａの角度を調整するさい、受光部１ａの角度をいっぱいまで回転させて延設片１ｃの先端をコ字状の前面パネルの内側面に当接させても、電線５は、延設片１ｃとコ字状の前面パネルの内側面に挟まれることがなくなり、電線５に加えるストレスを軽減できるものとなる。
【００２５】
なお、本発明に言うセンサ素子３とは、プリント基板に実装されて使用される人感センサであればどんな構成のであってもよい。すなわち、センサ素子３は、半導体素子単独のもので構成されたものであっても、半導体素子と他の電子部品などにより構成されこれらをケースに収納してものであっても、また他の組み合わせにより構成されたものであっても、いずれの構成のものでもよく、そのものがプリント基板に実装されて使用されるものであればよい。
【図面の簡単な説明】
【００２６】
【図１】本発明の一実施形態に係る人感センサユニットの円筒状本体をその軸に垂直な面で切断したときの断面図である。
【図２】同上の人感センサユニットの分解斜視図である。
【図３】同上の人感センサユニットの上面図である。
【図４】同上の人感センサユニットを照明器具の前面パネルに取付けたときの動作を説明するための説明図で、図４（ａ）は上方の検知対象を検出するときの説明図、図４（ｂ）は下方の検知対象を検出するときの説明図である。
【図５】同上の人感センサユニットの別の例で、円筒状本体をその軸に垂直な面で切断したときの断面図である。
【図６】本発明の人感センサユニットの応用例を示す図で、人感センサユニットの側面図である。
【図７】本発明の人感センサユニットの他の応用例を示す図で、人感センサユニットの斜視図である。
【図８】同上の人感センサユニットを照明器具の前面パネルに取付けたときの、動作を説明するための説明図である。
【図９】従来例に係る人感センサユニットの図で、図９（ａ）は人感センサユニットの円筒状本体の側面図、図９（ｂ）は円筒状本体の正面図である。
【図１０】同上の人感センサユニットの外観斜視図である。
【図１１】同上の人感センサユニットを組み込んだ階段用の照明器具の斜視図である。
【図１２】出願人が考案した人感センサユニットの円筒状本体をその軸に垂直な面で切断したときの断面図である。
【図１３】同上の人感センサユニットの円筒状本体を小型化したときの断面図である。
【図１４】出願人が考案した人感センサユニットの円筒状本体の側面を示した図で、図１４（ａ）は小型化する前のものを、図１４（ｂ）は小型化した後のものを、各々示している。
【符号の説明】
【００２７】
１      円筒状本体
１ａ    受光面
１ａｘ  受光面の中心
１ｃ    延設片
１ｃａ  電線引き出し位置
１ｃｄ  係合部
１ｘ    回動軸
２      支持体
２ａ    支持体の孔
２ｂ    表示部
２ｄ    係止部
３      センサ素子
４      プリント基板
４ａ    センサ素子実装面
４ｂ    非センサ素子実装面
５      電線
Ｘ２    延設片の内部空間
【図１】
2005098822.tif 000003
【図２】
2005098822.tif 000004
【図３】
2005098822.tif 000005
【図４】
2005098822.tif 000006
【図５】
2005098822.tif 000007
【図６】
2005098822.tif 000008
【図７】
2005098822.tif 000009
【図８】
2005098822.tif 000010
【図９】
2005098822.tif 000011
【図１０】
2005098822.tif 000012
【図１１】
2005098822.tif 000013
【図１２】
2005098822.tif 000014
【図１３】
2005098822.tif 000015
【図１４】
2005098822.tif 000016